(57)【要約】【課題】連結金具を除去して部品点数、組立工数を少なくしたにも拘わらず、複数本の線状光源の電極相互の間隔を保って各電極をケーブルの芯線に半田付けできるように改良した、製造面及びコスト面で有利な液晶表示装置を提供する。【解決手段】バックライトユニットを液晶表示パネルの背後に設けた液晶表示装置において、バックライトユニットの導光板の一側端に配置した複数本の線状光源Ｌの電極１に半田付けされるケーブル３の芯線３ａに、線状光源Ｌの電極相互の間隔が一定となるように各電極１を位置決めして保持する電極保持部３ｂを電極と同数形成し、電極１を各電極保持部３ｂに保持させて半田４で接続固定した液晶表示装置とする。電極と同数の電極保持部３ｂを形成した芯線３ａが連結金具の役目を果たすので、連結金具を除去しても各電極を一定の間隔で連結して芯線３ａと半田４で接続固定できる。【選択図】図３
2008107515.tif 000002
【特許請求の範囲】
【請求項１】
導光板と、導光板の背後に配置された反射シートと、導光板の前方に配置された光拡散シートおよびプリズムシートと、導光板の一側端に沿って平行に配置された２本の冷陰極管とを具備して成るバックライトユニットを、液晶表示パネルの背後に設けた液晶表示装置において、
上記冷陰極管の電極に半田付けされる低圧側のケーブルの芯線に、冷陰極管の電極相互の間隔が一定となるように各冷陰極管の電極を位置決めして保持する一巻きコイル状の電極保持部を２つ形成し、各冷陰極管の電極を芯線の各電極保持部に挿入保持させて半田付けしたことを特徴とする液晶表示装置。
【請求項２】
導光板と、導光板の背後に配置された反射シートと、導光板の前方に配置された光拡散シートおよびプリズムシートと、導光板の一側端に沿って平行に配置された複数本の線状光源とを具備して成るバックライトユニットを、液晶表示パネルの背後に設けた液晶表示装置において、
上記線状光源の電極に半田付けされるケーブルの芯線に、線状光源の電極相互の間隔が一定となるように各線状光源の電極を位置決めして保持する電極保持部を電極と同数形成し、各線状光源の電極を芯線の各電極保持部に保持させて半田付けしたことを特徴とする液晶表示装置。
【請求項３】
上記電極保持部を低圧側の上記ケーブルの芯線に形成したことを特徴とする請求項２に記載の液晶表示装置。
【請求項４】
上記電極保持部が、一巻きコイル状、Ｃ字状、コ字状、円形状のいずれかの形状を有するものであることを特徴とする請求項２又は請求項３に記載の液晶表示装置。
【発明の詳細な説明】
【技術分野】
【０００１】
本発明は液晶表示装置に関し、特に、そのバックライトユニットにおける線状光源の端子とケーブルの芯線との半田付け部分を改良した液晶表示装置に関する。
【背景技術】
【０００２】
従来の一般的な液晶表示装置は、液晶表示パネルの背後にエッジライト方式のバックライトユニットが設けられており、このエッジライト方式のバックライトユニットは、導光板と、導光板の背後に配置された反射シートと、導光板の前方に配置された光拡散シートおよびプリズムシートと、導光板の一側端に沿って平行に配置された複数本の線状光源などの主要部品によって構成されている。また、液晶表示パネルの背後に直下ライト方式のバックライトユニットを設けた液晶表示装置もある。
【０００３】
上記液晶表示装置のエッジライト方式のバックライトユニットにおいて、その導光板の一側端に線状光源を２本設ける場合には、図５に示すように、線状光源Ｌ，Ｌの電極１，１を連結金具２の孔２ａ，２ａに挿通して、電極１，１同士を連結すると共に、線状光源Ｌ，Ｌの相互間隔を一定に保ち、これらの線状光源Ｌ，Ｌの電極１，１と連結金具２と低圧側のケーブル３の芯線３ａを半田４で接続固定した構造とすることが多い。
【０００４】
一方、エッジライト方式のバックライトユニットにおいて、ケーブルの芯線の端部をフック状に形成し、このフック状の芯線端部に蛍光管のリード線を貫通させて、両者を半田付けすることにより、この半田付け部分の接合強度を高めるようにした技術が知られている（特許文献１）。また、液晶表示装置のバックライトユニットにおいて、ケーブルの芯線端部を折り曲げたり輪をつくって、冷陰極蛍光灯の電極に半田付けすることにより、ケーブルの引張り強度を高めるようにした技術も知られている（特許文献２）。
【特許文献１】特開２０００−７５８０１号公報
【特許文献２】特開２００１−１２５１０４号公報
【発明の開示】
【発明が解決しようとする課題】
【０００５】
しかしながら、前述した従来の液晶表示装置のように、２本の線状光源Ｌ，Ｌの電極１，１を連結金具２の孔２ａ，２ａに挿通してケーブル３の芯線３ａと半田４で接続固定するものは、連結金具２を別途製作する必要があり、その孔２ａ，２ａに線状光源Ｌ，Ｌの電極１，１を挿入して連結金具３を取付ける工程も必要になるため、部品点数や組立工数が増えて製造面及びコスト面で不利になるという問題があった。
【０００６】
また、特許文献１，２の技術は、蛍光管（冷陰極蛍光灯）の電極とケーブルの芯線との半田付け部分の接合強度を高めたり、ケーブルの引張り強度を高めることはできるけれども、２本の線状光源の電極同士を連結する手段がないため、２本の線状光源の電極を一定の間隔に保ちながらこれらの電極に１本のケーブルの芯線を半田付けする場合には、上記のような連結金具２と同様の金具を電極に取付けて半田付けを行わざるを得なくなり、やはり部品点数や組立工数が増えるという問題があった。
【０００７】
本発明は上記事情の下になされたもので、その解決しようとする課題は、連結金具を除去して部品点数及び組立工数を少なくしたにも拘わらず、複数本の線状光源の電極相互の間隔を一定に保って各電極を１本のケーブルの芯線に強固に半田付けできるように改良した、製造面及びコスト面で有利な液晶表示装置を提供することにある。
【課題を解決するための手段】
【０００８】
上記課題を解決するため、本発明に係る液晶表示装置は、導光板と、導光板の背後に配置された反射シートと、導光板の前方に配置された光拡散シートおよびプリズムシートと、導光板の一側端に沿って平行に配置された複数本の線状光源とを具備して成るバックライトユニットを、液晶表示パネルの背後に設けた液晶表示装置において、上記線状光源の電極に半田付けされるケーブルの芯線に、線状光源の電極相互の間隔が一定となるように各線状光源の電極を位置決めして保持する電極保持部を電極と同数形成し、各線状光源の電極を芯線の各電極保持部に保持させて半田付けしたことを特徴とするものである。
【０００９】
本発明の液晶表示装置にあっては、電極保持部を低圧側のケーブルの芯線に形成することが好ましく、また、その電極保持部の形状は一巻きコイル状、Ｃ字状、コ字状、円形状のいずれかであることが好ましい。
【００１０】
そして、本発明の更に具体化された好ましい液晶表示装置は、導光板と、導光板の背後に配置された反射シートと、導光板の前方に配置された光拡散シートおよびプリズムシートと、導光板の一側端に沿って平行に配置された２本の冷陰極管とを具備して成るバックライトユニットを、液晶表示パネルの背後に設けた液晶表示装置において、上記冷陰極管の電極に半田付けされる低圧側のケーブルの芯線に、冷陰極管の電極相互の間隔が一定となるように各冷陰極管の電極を位置決めして保持する一巻きコイル状の電極保持部を２つ形成し、各冷陰極管の電極を芯線の各電極保持部に挿入保持させて半田付けしたことを特徴とするものである。
【発明の効果】
【００１１】
本発明の液晶表示装置のように、ケーブルの芯線に形成された各電極保持部に各線状光源の電極を保持させると、電極保持部を形成した芯線自体が従来の連結金具の役目を果たして線状光源の電極同士を連結すると共に、電極相互の間隔が一定となるように各電極を位置決めするため、連結金具がなくても、電極相互の間隔を一定に保ったまま各線状光源の電極と芯線の各電極保持部を半田付けして電気的に接続することができる。従って、本発明の液晶表示装置は、従来必要であった連結金具を除去して部品点数及び組立工数を少なくすることができるので、製造面及びコスト面で有利である。
【００１２】
電極保持部は低圧側のケーブルの芯線に形成することが好ましく、そのようにすると、高圧側に設けられるコネクタまでのケーブルの本数が１本で済むため、配線上有利である。また、電極保持部の形状を一巻きコイル状、Ｃ字状、コ字状、円形状のいずれかにすると、線状光源の電極を脱落しないように確実に保持して位置決めすることが可能となり、特に、前記の具体的な好ましい液晶表示装置のように、電極保持部の形状が一巻きコイル状であると、電極保持部の形成が簡単であることに加えて、この一巻きコイル状の電極保持部とこれに挿通された電極とが係合した状態で半田付けされることになるため、半田付け部分の接合強度やケーブルの引張り強度を充分高めることが可能となる。
【発明を実施するための最良の形態】
【００１３】
以下、図面を参照して本発明の具体的な実施形態を詳述する。
【００１４】
図１は本発明の一実施形態に係る液晶表示装置を示す分解斜視図、図２は同液晶表示装置のバックライトユニットに組み込まれるケーブルと冷陰極管を示す部分斜視図、図３は同液晶表示装置のバックライトユニットにおけるケーブルの芯線と冷陰極管の電極との半田付け部分を示す拡大部分説明図、図４の（ａ）（ｂ）（ｃ）はそれぞれ異なる形状の電極保持部を芯線に形成したケーブルを示す部分正面図である。
【００１５】
図１に分解して示す液晶表示装置は、方形枠状の金属製フレーム５の内側にバックライトユニットＢＬＵが配置され、その上側（前側）に液晶表示パネル６が配置されている。そして、液晶表示パネル６の上（前）から金属製の縁枠材７が金属製フレーム５に取付けられ、この縁枠材７によって液晶表示パネル６やバックライトユニットＢＬＵが金属製フレーム５から脱離しないように固定されている。
【００１６】
上記のバックライトユニットＢＬＵは、導光板８と、導光板８の下側（背後）に配置された反射シート９と、導光板８の上側（前側）に配置された光拡散シート１０及び２枚のプリズムシート１１と、導光板８の一側端（長辺）に沿って平行に配置された２本の冷陰極管（線状光源）Ｌと、この冷陰極管Ｌの外側に配置された溝形反射体１２とによって構成された、所謂エッジライト方式のバックライトユニットであり、冷陰極管Ｌの一端側のソケット１３ａから引き出された低圧側の１本の長いケーブル３と、冷陰極管Ｌの他端側のソケット１３ｂから引き出された高圧側の２本の短いケーブル３０が、外部のコネクタ１４に接続されている。
【００１７】
また、金属製フレーム５の下側（背面側）には、大きい電磁波シールド板１５ａと、上面に絶縁テープを貼着した小さな電磁波シールド板１５ｂが取付けられており、小さい電磁波シールド板１５ｂの上にはプリント配線基板１６が取付けられている。そして、このプリント配線基板１６は、複数のフレキシブルな配線フィルム１７を介して上記の液晶表示パネル６に接続されている。
【００１８】
上記のバックライトユニットＢＬＵにおける低圧側のケーブル３は、図２，図３に示すように、その芯線３ａの露出端部が曲げ加工され、一巻きコイル状の２つの電極保持部３ｂ，３ｂが所定間隔をあけて形成されている。これらの一巻きコイル状の電極保持部３ｂ，３ｂは、２本の冷陰極管Ｌ，Ｌの電極１，１を挿通することによって電極相互の間隔が一定となるように電極１，１を位置決めして保持するものであり、従来の連結金具２の役目を兼ね備えたものである。この一巻きコイル状の電極保持部３ｂの内径は、冷陰極管Ｌの電極１を容易に挿通できるように、冷陰極管Ｌの電極１の外径よりも少し大きく設定することが好ましい。
【００１９】
２本の冷陰極管Ｌ，Ｌの電極１，１は、図３に示すように、低圧側ケーブル３の芯線３ａに形成された上記の一巻きコイル状の電極保持部３ｂ，３ｂに挿通されて、半田４で接続固定されている。このようにすると、電極保持部３ｂ，３ｂを形成した芯線３ａ自体が従来の連結金具２の役目を果たして冷陰極管Ｌ，Ｌの電極１，１同士を連結し、電極相互の間隔が一定となるように各電極１，１を位置決めするため、従来の連結金具２がなくても、電極相互の間隔を一定に保って確実に各電極１，１と芯線３ａを電気的に接続することができる。従って、この液晶表示装置は、従来の連結金具２を除去して部品点数及び組立工数を少なくすることができるので、製造面及びコスト面で有利である。しかも、従来の連結金具２を取付けない分だけ、冷陰極管Ｌの電極１を短縮して発光部を長くすることができるので、冷陰極管Ｌの発光部両端の暗い部分がソケット１３ａに隠れるようになり、その分だけ液晶表示パネル６の側端部の輝度を向上させることが可能となる。また、電極保持部３ｂの形状が一巻きコイル状であると、電極保持部３ｂの形成が簡単であることに加えて、この電極保持部３ｂと、この電極保持部３ｂに挿通された電極１とが係合した状態で半田付けされることになるため、半田付け部分の接合強度や低圧側ケーブル３の引張り強度を充分高めることが可能となる。
【００２０】
電極保持部の形状は、上記の一巻きコイル状に限定されるものではなく、例えば、図４の（ａ）に示すようなコ字状の電極保持部３ｃ、（ｂ）に示すようなＣ字状の電極保持部３ｄ、（ｃ）に示すような円形状の電極保持部３ｅなど、冷陰極管Ｌの電極１を確実に保持して位置決めすることができる形状の電極保持部であればよい。
【００２１】
また、低圧側のケーブル３の芯線３ａに上記の電極保持部３ｂ，３ｃ，３ｄ，３ｅのいずれかを２つ形成して２本の冷陰極管Ｌ，Ｌの電極１，１を半田付けすると、高圧側に設けられるコネクタ１４までのケーブルの本数が１本で済むため配線上有利である。尚、高圧側のケーブル３０を一本にし、その芯線に上記の電極保持部を２つ形成して冷陰極管Ｌ，Ｌの電極と半田付けしてもよい。
【００２２】
上記のような構成の液晶表示装置は、電源を入れてバックライトユニットＢＬＵの２本の冷陰極管Ｌ，Ｌを点灯、発光させると、その光が導光板８に進入して導光板８の表裏両面から放出され、導光板表面から放出された光は反射シート９で上方に反射された光と共に、光拡散シート１０を通って拡散されながら、更にプリズムシート１１で指向性が高められて、液晶表示パネル６を背面から照明するため、液晶表示パネル６の画像を鮮明に視認することができる。しかも、この液晶表示装置は、既述したように、従来の連結金具の役目を兼ねる２つの電極保持部３ｂを形成して２本の冷陰極管Ｌ，Ｌの電極１，１と半田付けすることにより、従来の連結金具を除去しているため、部品点数及び組立工数が少なく、その分、製造コストの低減と製造効率の向上を図ることができる。
【００２３】
以上、冷陰極管Ｌを２本設けた実施形態を挙げて本発明の液晶表示装置を説明したが、本発明はこの実施形態に限定されるものではなく、例えば、冷陰極管Ｌを導光板８の一側端に３本以上平行に設けると共に、低圧側ケーブル３の芯線３ａに冷陰極管Ｌと同数の電極保持部３ｂを形成し、各電極１を各電極保持部３ｂに挿通保持させて半田付けしても勿論よい。
【図面の簡単な説明】
【００２４】
【図１】本発明の一実施形態に係る液晶表示装置の分解斜視図である。
【図２】同液晶表示装置のバックライトユニットに組み込まれるケーブルと冷陰極管を示す部分斜視図である。
【図３】同液晶表示装置のバックライトユニットにおけるケーブルの芯線と冷陰極管の電極との半田付け部分を示す拡大部分説明図である。
【図４】（ａ）（ｂ）（ｃ）はそれぞれ異なる形状の電極保持部を芯線に形成したケーブルを示す部分正面図である。
【図５】従来の液晶表示装置のバックライトユニットにおけるケーブルの芯線と冷陰極管の電極との半田付け部分を示す拡大部分説明図である。
【符号の説明】
【００２５】
ＢＬＵ  バックライトユニット
Ｌ    冷陰極管（線状光源）
１    冷陰極管の電極
２    従来の連結金具
３    低圧側のケーブル
３ａ  ケーブルの芯線
３ｂ  一巻きコイル状の電極保持部
３ｃ  コ字状の電極保持部
３ｄ  Ｃ字状の電極保持部
３ｅ  円形状の電極保持部
４    半田
６    液晶表示パネル
【図１】
2008107515.tif 000003
【図２】
2008107515.tif 000004
【図３】
2008107515.tif 000005
【図４】
2008107515.tif 000006
【図５】
2008107515.tif 000007